(57)【要約】      （修正有）【課題】要救助者を効率よく搬送することを可能とする搬送器を提供する。【解決手段】搬送器１は、対象者を収容する収容空間を有する本体部２と、ローリングラダー１０３の手摺１０５側に本体部２から突出するローラー支持部５ａ，５ｂと、ローラー支持部５ａ，５ｂに回動自在に軸支され、手摺１０５に当接して本体部２を支持するローラーと、本体部２に設けられた滑車とを備え、滑車に通されたロープＲによって牽引されてローリングラダー１０３を昇降する。【選択図】図２
0003167189.tif 000002
【実用新案登録請求の範囲】
【請求項１】
可燃性液体を貯蔵するタンクに配設されると共に、踏み板と当該踏み板の両側に設置された手摺とを有する昇降手段に設置され、対象者を搬送する搬送器であって、
前記手摺の間に配置され、前記対象者を収容する収容空間を有する本体部と、
前記昇降手段の前記手摺側に前記本体部から突出する複数の突出部と、
前記突出部に回動自在に軸支され、前記手摺に当接して前記本体部を支持するローラーと、
前記本体部に設けられた滑車とを備え、
前記滑車に通されたロープによって牽引されて前記昇降手段を昇降することを特徴とする搬送器。
【請求項２】
前記昇降手段は、前記タンク内に配設された浮き屋根と前記タンクの側壁の頂部との間に掛け渡されたはしごであることを特徴とする請求項１記載の搬送器。
【請求項３】
前記昇降手段は、前記タンクの外壁に設けられた階段であることを特徴とする請求項１記載の搬送器。
【請求項４】
前記昇降手段の前記踏み板に当接して前記本体部を支持する支持部を更に備えることを特徴とする請求項１〜３のいずれか一項記載の搬送器。
【請求項５】
前記ローラーは、非金属材料からなることを特徴とする請求項１〜３のいずれか一項記載の搬送器。
【考案の詳細な説明】
【技術分野】
【０００１】
本考案は、原油等を貯蔵するタンクにおいて要救助者を搬送するための搬送器に関する。
【背景技術】
【０００２】
原油等の可燃性液体を貯蔵するタンクにおいては、タンク内のクリーニング等の作業が行われる。例えば特許文献１に記載のような構造を有するタンクでは、タンク内の燃料を移送して浮き屋根を降下させ、タンクの壁部と浮き屋根との間に掛け渡されたはしご（ローリングラダー）により作業者がタンク内に進入して作業を行っている。
【先行技術文献】
【特許文献】
【０００３】
【特許文献１】特開２００８−２１３８８６号公報
【考案の概要】
【考案が解決しようとする課題】
【０００４】
上記のようなタンク内の作業においては、作業者の体調不良や不慮の事故等により、要救助者が発生する場合がある。要救助者が発生した場合、速やかにタンクの内部から外部へ要救助者を搬送する必要があるが、タンクの内部から外部への要救助者の搬送には以下のような問題があった。すなわち、要救助者が発生した場合、従来ではその要救助者を搬送者が背負ってはしごを登り搬送することを想定していた。しかし、貯蔵タンクに設けられたはしごは、例えばタンククリーニング作業等の際に浮き屋根が最下降している状態では傾斜が急勾配（約６０°程度）となっている。そのため、要救助者を背負ってはしごを登ることは非常に危険であり、落下を防止しつつ要救助者を慎重に搬送する必要があるため、時間と多くの労力を要する。
【０００５】
本考案は、上記課題を解決するためになされたものであり、要救助者を効率よく搬送することを可能とする搬送器を提供することを目的とする。
【課題を解決するための手段】
【０００６】
上記課題を解決するために、本考案に係る搬送器は、可燃性液体を貯蔵するタンクに配設されると共に、踏み板と当該踏み板の両側に設置された手摺とを有する昇降手段に設置され、対象者を搬送する搬送器であって、手摺の間に配置され、対象者を収容する収容空間を有する本体部と、昇降手段の手摺側に本体部から突出する複数の突出部と、突出部に回動自在に軸支され、手摺に当接して本体部を支持するローラーと、本体部に設けられた滑車とを備え、滑車に通されたロープによって牽引されて昇降手段を昇降することを特徴とする。
【０００７】
この搬送器では、要救助者を収容する本体部が滑車に通されたロープによって牽引され、ローラーが手摺上を摺動して本体部が昇降手段を昇降する。このように、タンクに配設された昇降手段の手摺を使用し、手摺の間に配置された本体部に要救助者を収容してロープで牽引することにより、要救助者を搬送することができる。このとき、滑車に通したロープを牽引することにより、牽引する際の負荷を軽減することができる。したがって、従来想定していたように、要救助者を背負って傾斜の急なはしご等の昇降手段を登る必要がなく、短時間で且つ容易に要救助者を搬送することができる。その結果、要救助者を効率よく搬送することが可能となる。
【０００８】
また、可燃性液体を貯蔵するタンクは、防爆エリアであるため、電動モータ等を使用することができない。そこで、本体部に滑車を設けることにより、牽引の負荷を軽減しつつ、安全性も確保することができる。なお、滑車は、少なくとも１つ設けられていればよく、複数設けられていてもよい。また、滑車において円盤が複数設けられていてもよい。
【０００９】
また、昇降手段は、タンク内に配設された浮き屋根とタンクの側壁の頂部との間に掛け渡されたはしごである。あるいは、昇降手段は、タンクの外壁に設けられた階段である。このように、搬送器をタンク内部のはしごやタンク外側の階段に適用できるため、タンク内で発生した要救助者をタンクの内部からタンクの外部に搬送することが可能となる。
【００１０】
また、昇降手段の踏み板に当接して本体部を支持する支持部を更に備えることが好ましい。このように、昇降手段の踏み板に当接する支持部を設けることにより、万が一ロープが切れた場合であっても、支持部が本体部を支持するため、搬送器が落下することを防止できる。
【００１１】
また、ローラーは、非金属材料からなることが好ましい。上述のように、可燃性液体が貯蔵されるタンク内は、防爆エリアとなっている。そのため、火花の発生等には細心の注意を払う必要がある。そこで、ローラーを非金属製材料から形成することにより、ローラーと昇降手段の手摺とが当接して摺れた場合であっても、火花が発生することを防止することができる。その結果、安全性を確保できる。
【考案の効果】
【００１２】
本考案によれば、要救助者を効率よく搬送することが可能となる。
【図面の簡単な説明】
【００１３】
【図１】本考案に係る搬送器がローリングラダーに設置された状態を示す図である。
【図２】搬送器が昇降ラダーに設置された状態を示す図である。
【図３】搬送器の側面図である。
【図４】図３に示す搬送器を上から見た図である。
【図５】図３に示す搬送器を前方から見た図である。
【図６】図３に示す搬送器を後方から見た図である。
【図７】ストレッチャーを示す図である。
【図８】ストレッチャーを示す図である。
【図９】ストッパーの動きを説明する図である。
【図１０】ローラーが手摺に当接している状態を示す図である。
【図１１】搬送器がローリングラダーの最下位置に設置された状態を示す斜視図である。
【図１２】搬送器がローリングラダーを上昇している状態を示す図である。
【図１３】搬送器が外階段に設置された状態を示す図である。
【考案を実施するための形態】
【００１４】
以下、図面を参照しながら、本考案の実施形態について説明する。なお、図面の説明において同一又は相当部分には同一の符号を付し、重複する説明を省略する。
【００１５】
図１は、本考案に係る搬送器がローリングラダーに設置された状態を示す図である。図２は、図１に示す搬送器を正面から見た図である。図１及び図２に示すように、搬送器１は、原油等の可燃性液体を貯蔵するタンク１００において、タンク１００の側壁１０１の頂部と浮き屋根１０２との間に掛け渡されるローリングラダー（昇降手段：はしご）１０３に設置される。図１に示すように、ローリングラダー１０３は、浮き屋根１０２の昇降に応じて傾斜（勾配）が変化すると共に、踏み板１０４の角度が変化するはしごである。ローリングラダー１０３は、浮き屋根１０２が最下降した状態において、約６０°程度に傾斜している。ローリングラダー１０３には、踏み板１０４の両側に手摺１０５が設けられている。
【００１６】
続いて、搬送器１について、図３〜６を参照しながら詳細に説明する。図３は、搬送器の側面図であり、図４は、図３に示す搬送器を上から見た図、図５は、図３に示す搬送器を前方から見た図、図６は、図３に示す搬送器を後方から見た図である。なお、以下の説明においては、図３に示す状態において図示右側を「前」、図示左側を「後」と規定する。
【００１７】
各図に示すように、搬送器１は、本体部２と、第１ストッパー（支持部）３と、第２ストッパー（支持部）４と、ローラー支持部（突出部）５ａ，５ｂと、ローラー６と、滑車７とを備えている。本体部２は、ローリングラダー１０３に設置される際に手摺１０５の間に配置される。本体部２は、要救助者（対象者）を収容する収容空間Ｓを有している。具体的には、本体部２は、要救助者を載せたストレッチャー９を収容する。
【００１８】
ここで、ストレッチャー９について、図７及び図８を参照して説明する。図７及び図８は、ストレッチャーを示す図である。同図に示すように、ストレッチャー９は、折畳み式となっている。ストレッチャー９は、平坦な状態（図７）と、座面を有する椅子の状態（図８）とに変形させることができる。ストレッチャー９には、車輪９ａ，９ｂが設けられている。これにより、ストレッチャー９は、椅子の状態において車椅子として扱うことができる。ストレッチャー９は、本体部２に収容された際、例えばラッシングベルト（図示しない）などによって本体部２に固定される。なお、ストレッチャー９としては、救急搬送具を使用することができる。
【００１９】
図３〜６に戻って、本体部２は、長尺の複数（ここでは４本）の縦材２０ａ〜２０ｄと、この縦材２０ａ〜２０ｄよりも短尺であると共に、縦材２０ａ〜２０ｄに横架される複数（ここでは６枚）の横材２１ａ〜２１ｆと、縦材２０ａ，２０ｂと縦材２０ｃ，２０ｄとを連結する複数（ここでは４本）の連結材２２ａ〜２２ｄとから構成されている。縦材２０ａ〜２０ｄ及び連結材２２ａ〜２２ｄは、柱状の部材であり、横材２１ａ〜２１ｆは、板状の部材である。縦材２０ａ，２０ｂは、縦材２０ｃ，２０ｄよりも長さ寸法が大きい。このような構成により、本体部２は、側面視において、略台形状を呈している（図３参照）。また、本体部２の後端部の連結材２２ｃ，２２ｄは、前端部の連結材２２ａ，２２ｂよりも長さ寸法が大きい。このような構成により、横材２１ｅは、横材２１ａよりも高い位置に位置している。
【００２０】
縦材２０ａ〜２０ｄ、横材２１ａ〜２１ｆ及び連結材２２ａ〜２２ｄとしては、例えば木材、金属部材、樹脂部材、炭素繊維部材等を用いることができる。なお、防爆エリアであるタンク１００内での使用の観点から、縦材２０ａ〜２０ｄ、横材２１ａ〜２１ｆ及び連結材２２ａ〜２２ｄは、火花が発生しない木材、樹脂部材、炭素繊維部材であることが好ましい。
【００２１】
本体部２の後端部から所定距離だけ離れた位置には、落下防止部材２３が設けられている。落下防止部材２３は、板状の部材であり、縦材２０ａと縦材２０ｂとに亘って設けられている。この落下防止部材２３は、ストレッチャー９が本体部２に収容された際、ストレッチャー９の脚部９ｃと脚部９ｄとの間に位置（図１１参照）するように配置されており、ストレッチャー９の落下を防止する。
【００２２】
縦材２０ｃ，２０ｄには、ガイド部２４ａ〜２４ｄが設けられている。ガイド部２４ａ〜２４ｄは、縦材２０ｃ，２０ｄそれぞれの長手方向において複数（ここでは２つ）設けられている。また、ガイド部２４ａとガイド部２４ｃ、ガイド部２４ｂとガイド部２４ｄとは、縦材２０ｃ，２０ｄの対向方向において対向する位置に設けられている。ガイド部２４ａ〜２４ｄは、ストレッチャー９の幅寸法に応じた位置に配置されており、ストレッチャー９が本体部２に収納される際に、ストレッチャー９の位置決めを行う。このガイド部２４ａ〜２４ｄにより、ストレッチャー９を本体部２にスムーズに収容することができる。
【００２３】
本体部２は、ローリングラダー１０３の幅に応じて設計されており、その幅は例えば７００ｍｍ〜２０００ｍｍ程度、好ましくは１７００ｍｍ〜２０００ｍｍ程度に設定されている。また、本体部２の長さは、例えば７００ｍｍ〜２０００ｍｍ程度、好ましくは１７００ｍｍ〜２０００ｍｍ程度に設定されている。なお、本体部２の幅及び長さは、昇降手段に応じて上記の範囲において適宜設定されればよい。
【００２４】
第１ストッパー３は、本体部２の底部に設けられている。第１ストッパー３は、本体部２の縦材２０ｃ，２０ｄに設けられた軸受部２５ａ，２５ｂに取り付けられており、踏み板１０４に当接して本体部２を支持する。第１ストッパー３は、軸受部２５ａ，２５ｂに挿通されたボルトＢによって軸支され、可動自在に設けられた可動部材３０と、可動部材３０の先端に回動自在に設けられた回動部材３１とから構成されている。第１ストッパー３は、一方向にのみ可動する。具体的には、第１ストッパー３は、可動部材３０が後方側に倒れるように回動する。
【００２５】
図９は、第１ストッパー３の動きを説明する図である。図９に示すように、搬送器１の動きが停止している状態では、第１ストッパー３は、実線で示すように、搬送器１の自重により下方に力が加わるため、可動部材３０の基端部の平坦な端面３０ａが本体部２の縦材２０ｃ，２０ｄに当接する。このとき、第１ストッパー３は、回動することができない。これにより、第１ストッパー３は、回動部材３１が踏み板１０４に当接して搬送器１が下方に滑り落ちることを抑制し、搬送器１の停止状態を維持する。
【００２６】
一方、搬送器１が動いている（上昇している）状態では、第１ストッパー３は、２点鎖線で示すように、搬送器１の移動に伴って可動部材３０が後方側に回動する。このとき、第１ストッパー３は、回動部材３１によって、踏み板１０４を一段ずつ乗り上げて移動する。
【００２７】
すなわち、第１ストッパー３は、ローリングラダー１０３において搬送器１をロープＲで牽引して引き上げる際の滑り落ちを防止するものであり、搬送器１を下降させる際には、下降の支障となるため、本体部２に固定して踏み板１０４に接しないようにする必要がある。
【００２８】
第２ストッパー４は、本体部２の後端部に設けられている。第２ストッパー４は、ローリングラダー１０３の踏み板１０４に当接し、本体部２を支持する。第２ストッパー４は、第１支持部材４０と、第２支持部材４１と、連結部材４２とから構成されている。第１支持部材４０と第２支持部材４１とは、蝶番（図示しない）によって連結されている。これにより、第１支持部材４０は、第２支持部材４１に対して回動自在に設けられており、第２支持部材４１側に折り畳むことが可能となっている。第１支持部材４０は、先端になるにつれて厚みが小さくなっている。また、第２支持部材４１は、連結材２２ｃ，２２ｄの下端側に蝶番によって連結されており、連結材２２ｃ，２２ｄに対して回動自在に設けられている。第２支持部材４１は、連結材２２ｃ，２２ｄの上端側に回動する。
【００２９】
連結部材４２は、第２支持部材４１と本体部２の横材２１ｅとを連結している。連結部材４２は、第１連結部材４２ａと、第２連結部材４２ｂとから構成されている。第１連結部材４２ａの一端は、例えば連結金具などの固定具（図示しない）によって第２支持部材４１に連結されている。このような構成により、第１連結部材４２ａと第２支持部材４１とは、固定具５３を操作することで連結及び取り外しが可能となっている。第２連結部材４２ｂの一端は、横材２１ｅに蝶番によって連結されている。これにより、第２連結部材４２ｂは、横材２１ｅに対して回動可能に設けられている。第１連結部材４２ａの他端と第２連結部材４２ｂの他端とは、蝶番によって連結されている。このような構成により、第１連結部材４２ａを第２支持部材４１から取り外した場合、第１連結部材４２ａを第２連結部材４２ｂ側に折り畳むことができる。
【００３０】
第２ストッパー４は、第１連結部材４２ａと第２支持部材４１とが連結されると共に、第１支持部材４０と第２支持部材４１とが伸びた状態において、本体部２を支持する（図３に示す状態）。また、搬送器１がローリングラダー１０３（後述する外階段１０６）を下降する際、又は、ローリングラダー１０３の最下位置に設置されているときには、第２ストッパー４は、第１連結部材４２ａと第２支持部材４１との連結が解除され、第１支持部材４０と第２支持部材４１とが折り重なるように配置される。このとき、バンド等によって第１支持部材４０と第２支持部材４１とが固定されている。詳細については後述する。
【００３１】
ローラー支持部５ａ，５ｂは、本体部２の長手方向の両端部に設けられている。ローラー支持部５ａ，５ｂは、横材２１ａ，２１ｅに補強部材２６ａ，２６ｂを介して取り付けられており、本体部２の幅方向に本体部２からそれぞれ突出している。すなわち、ローラー支持部５ａ，５ｂは、搬送器１がローリングラダー１０３に設置された状態において、手摺１０５側に突出している。ローラー支持部５ａ，５ｂは、棒状の部材であり、横材２１ａ，２１ｅにＵ字状の固定具（図示しない）によって固定されている。ローラー支持部５ａ，５ｂは、本体部２の前端部及び後端部において、４箇所から突出している。ローラー支持部５ａ，５ｂは、本体部２の幅方向に伸縮可能に設けられている。ローラー支持部５ａ，５ｂには、ローラー６が取り付けられている。なお、本実施形態では、棒状の部材からなるローラー支持部５ａ，５ｂを本体部２（横材２１ａ，２１ｅ）にＵ字状の固定具により取り付ける様態としているが、ローラー支持部５ａ，５ｂは、本体部２に一体的に形成されてもよい。すなわち、横材２１ａ，２１ｅが突出する構成であってもよい。
【００３２】
ローラー６は、ローラー支持部５ａ，５ｂに回動自在に軸支されており、ローラー支持部５ａ，５ｂに対応して複数（ここでは４つ）設けられている。ローラー６は、非金属材料から形成されており、例えば樹脂等である。ローラー６は、柱状をなしており、ローラー支持部５ａ，５ｂの延在方向に沿うように取り付けられている。すなわち、ローラー６とローラー支持部５ａ，５ｂとは、略平行に設けられている。ローラー６が軸支されるローラー支持部５ｂは、ローラー支持部５ａよりも高い位置に取り付けられている。そのため、ローラー支持部５ｂに取り付けられたローラー６は、ローラー支持部５ａに取り付けられたローラー６よりも上方に位置している。
【００３３】
図１０は、ローラーが手摺に当接している状態を示す図である。図１０に示すように、ローラー６は、ローリングラダー１０３の手摺１０５に当接し、本体部２を支持する。なお、ローラー支持部５ａ、５ｂは、伸縮自在に設けられているため、搬送器１がローリングラダー１０３を昇降中に一方向に片寄ってローラー６が脱落することを防止できる。
【００３４】
滑車７は、本体部２の底部に取り付けられている。滑車７は、本体部２の底部において、本体部２の略中央に配設された横材２１ｇに設けられた連結具Ｋに取り付けられている。滑車７は、複数（ここでは２枚）の円盤７ａ，７ｂを有している。この滑車７には、ロープＲが通される。
【００３５】
続いて、上述の構成を有する搬送器１の動きについて説明する。図１１は、搬送器がローリングラダーの最下位置に設置された状態を示す斜視図である。また、図１２は、搬送器がローリングラダーを上昇している状態を示す図である。
【００３６】
最初に、図１１に示すように、搬送器１がローリングラダー１０３の最下位置に設置されている状態、すなわち要救助者を搬送器１に乗せるときの状態について説明する。図１１に示すように、搬送器１は、本体部２が手摺１０５の間に配置されると共に、本体部２の前端部が上側となるように配置される。このとき、搬送器１は、第１支持部材４０及び第２支持部材４１が折り畳まれた状態となっている。具体的には、第２ストッパー４は、第１連結部材４２ａが第２支持部材４１から取り外されており、第１支持部材４０が第２支持部材４１に折り重なっている。そして、第１支持部材４０が本体部２（連結材２２ｃ，２２ｄ）に当接した状態となっている。このような構成により、ローリングラダー１０３の最下位置に搬送器１を設置することができる。
【００３７】
要救助者（ストレッチャー９）が搬送器１に収容されると、滑車７に通されたロープＲを牽引して搬送器１を引き上げ、図示１２に示すように、固定具を操作して第１連結部材４２ａと第２支持部材４１とを連結し、第２ストッパー４が伸びた状態に固定する。これにより、搬送器１では、踏み板１０４を一段上がる度に、第２ストッパー４が踏み板１０４と当接して本体部２を支持する。また、第１ストッパー３も同様に、踏み板１０４を一段上がる度に踏み板１０４に当接して本体部２を支持する。
【００３８】
以上説明したように、搬送器１では、要救助者を収容する本体部２が滑車７に通されたロープＲによって牽引され、ローラー６が手摺１０５上を摺動して本体部２がローリングラダー１０３を昇降する。このように、タンク１００に配設されたローリングラダー１０３の手摺１０５を使用し、本体部２に要救助者を載せたストレッチャー９を収容してロープＲで牽引することにより、要救助者を搬送することができる。このとき、滑車７の複数の円盤７ａ，７ｂに通したロープＲを牽引することにより、牽引する際の負荷を軽減（１／５以下）することができる。したがって、従来のように、要救助者を背負って傾斜の急なローリングラダー１０３を登る必要がなく、短時間で且つ容易に要救助者を搬送することができる。その結果、要救助者を効率よく搬送することができる。
【００３９】
また、搬送器１は、手摺１０５に当接すると共に本体部２を支持するローラー６が手摺１０５上を走行する構成のため、振動が無く、負傷者に負担をかけずに搬送することができる。
【００４０】
また、第１ストッパー３及び第２ストッパー４が設けられているため、万が一搬送中にロープＲが切れた場合であっても、第１ストッパー３及び第２ストッパー４によって本体部２が支持され、搬送器１が落下することを防止できる。したがって、安全性を確保することができる。また、第１ストッパー３と第２ストッパー４とによって本体部２を支持することにより、荷重を分散させることができる。これにより、第１ストッパー３及び第２ストッパー４に加わる荷重負荷を軽減できる。
【００４１】
ここで、可燃性液体が貯蔵されるタンク１００内は、防爆エリアとなっている。そのため、火花の発生等には細心の注意を払う必要がある。そこで、ローラー６は、非金属材料によって形成されている。そのため、ローラー６がローリングラダー１０３の手摺１０５に当接して摺動する場合であっても、火花が発生することを防止できる。
【００４２】
また、車輪９ａ，９ｂを有するストレッチャー９を搬送器１の本体部２に収容して要救助者を搬送することにより、以下のような利点がある。すなわち、搬送器１に収容する前及び搬送後において、ストレッチャー９を別途準備する必要がなく、要救助者を良好に搬送することができる。また、車輪９ａ，９ｂが使用可能な状態（椅子型の状態）でストレッチャー９を本体部２に収容し、本体部２から車輪９ａ，９ｂが突出した状態でストレッチャー９を固定することにより、タンク１００の側壁１０１の頂部（トップステージ）において車輪９ａ，９ｂにより方向転換ができる。したがって、狭い領域での方向転換を容易に行うことができる。
【００４３】
本考案は、上記実施形態に限定されるものではない。例えば、上記実施形態では、搬送器１がローリングラダー１０３に設置される様態を示したが、搬送器１はタンク１００の外壁に設けられた外階段にも適用することができる。図１３は、搬送器が外階段に設置された状態を示す図である。図１３に示すように、外階段（昇降手段）１０６には両側に手摺１０７が設けられており、搬送器１のローラー６は、外階段１０６の手摺１０７に当接している。搬送器１が外階段１０６に設置された場合においても、ローリングラダー１０３に設置された場合と同様に使用することができる。
【００４４】
なお、外階段１０６を下降する際には、第１ストッパー３及び第２ストッパー４は、本体部２が滑り落ちることを防止する支持部としては機能しないため、市販の高所作業等で使用される墜落防止装置を本体部２に設置して搬送する。
【００４５】
また、上記実施形態では、本体部２を軽量化の観点から縦材２０ａ〜２０ｄ、横材２１ａ〜２１ｆ及び連結材２２ａ〜２２ｄにて構成しているが、本体部２は板状の部材等によって箱型に形成されてもよい。要は、本体部２は、ストレッチャー９（要救助者）を収容する収容空間Ｓを有する構成であればよい。
【００４６】
また、上記実施形態では、複数の円盤７ａ，７ｂを有する滑車７を本体部２に一つ取り付けているが、滑車７が複数取り付けられてもよい。
【符号の説明】
【００４７】
１…搬送器、２…本体部、３…第１ストッパー（支持部）、４…第２ストッパー（支持部）、５ａ，５ｂ…ローラー支持部、６…ローラー、７…滑車、１００…タンク、１０１…側壁、１０２…浮き屋根、１０３…ローリングラダー（昇降手段）、１０４…踏み板、１０５，１０７…手摺、１０６…外階段、Ｒ…ロープ。
【図１】
0003167189.tif 000003
【図２】
0003167189.tif 000004
【図３】
0003167189.tif 000005
【図４】
0003167189.tif 000006
【図５】
0003167189.tif 000007
【図６】
0003167189.tif 000008
【図７】
0003167189.tif 000009
【図８】
0003167189.tif 000010
【図９】
0003167189.tif 000011
【図１０】
0003167189.tif 000012
【図１１】
0003167189.tif 000013
【図１２】
0003167189.tif 000014
【図１３】
0003167189.tif 000015